(57)【要約】【課題】ドラム式洗濯機の水槽と衣類取出口とを連結するパッキング部材を確実に固定することを目的とする。【解決手段】パッキング部材１６は前面板１３とパネル部材７の隙間よりも大きな突起部１６ｂを設けているので、パッキング部材１６が回転ドラム４側に強い力で引っ張られたとしても、パッキング部材１６は外れない構成となっている。これによりパッキング部材１６を前面板１３にしっかりと固定でき、漏水等を防ぎ、漏電などの問題を解決し安全なドラム式洗濯機を提供することができる。【選択図】図３
2012228409.tif 000002
【特許請求の範囲】
【請求項１】
洗濯物を収容する回転ドラムと、前記回転ドラムを内包する水槽と、洗濯物の投入口を有するパネル部材と、このパネル部材の一部を覆う前面板と、前記投入口を開閉自在に覆う蓋体と、前記水槽と前記前面板とを連結する略円筒状のパッキング部材とを備え、前記パッキング部材は、前記パネル部材の先端と前記前面板の先端で形成される隙間よりも大きな突起部を有する構成としたドラム式洗濯機。
【請求項２】
前記突起は、略円筒状のパッキング部材の下円部の少なくとも一部に設けた請求項１記載のドラム式洗濯機。
【請求項３】
前記突起は、略円筒状のパッキング部材の下円部全体に設けた請求項２記載のドラム式洗濯機。
【発明の詳細な説明】
【技術分野】
【０００１】
本発明は、水槽の水が本体内部又は外部に漏れないように設けられたパッキング部材を有するドラム式洗濯機に関するものである。
【背景技術】
【０００２】
従来、ドラム式洗濯機は、洗濯機を収容する回転ドラムと、この回転ドラムを内包する水槽とが設置面に対して水平もしくは角度を設けて傾斜させて設置されている。
【０００３】
しかし、このような構造では、洗濯や脱水の際、上記水槽内に溜められた水が洗濯機内部又は外部に漏れてしまうので、水槽の開口部と前面板に設けられた洗濯物を出し入れするための開口部との間に円筒状のパッキング部材が取り付けられている。
【０００４】
特許文献１は、パッキング部材と前面板との取り付けは、パッキング部材に突起を設けてその突起を乗り越えないようにワイヤをリング状に外嵌させることで前面板に固定されている。
【０００５】
このような構造によって、上記パッキング部材は洗濯機本体の内外への水漏れ等を防ぐことができる。（例えば、特許文献１参照）。
【先行技術文献】
【特許文献】
【０００６】
【特許文献１】特開２０１１−４１７４６号公報
【発明の概要】
【発明が解決しようとする課題】
【０００７】
しかしながら、このような従来のパッキング部材に突起を設け、その突起を乗り越えないようにワイヤをリング状に外嵌させる固定方法では、洗濯物がパッキング部材の上に載ってしまって蓋体に挟まれたまま運転された場合は、回転ドラムの回転に伴い、洗濯物がパッキング部材を巻きつけるようにして大きな力で回転ドラム内にパッキング部材を引張り、簡単にワイヤが外れてしまうという課題があった。
【０００８】
そこで本発明は、使用者が誤って洗濯物を蓋体に挟んだまま運転されたとしても、パッキング部材が極力外れないようにして、水漏れの等の被害を起こさないドラム式洗濯機を提供することを目的とする。
【課題を解決するための手段】
【０００９】
本発明は上記課題を解決するために、本発明に係るドラム式洗濯機は、洗濯物を収容する回転ドラムと、前記回転ドラムを内包する水槽と、洗濯物の投入口を有するパネル部材と、このパネル部材の一部を覆う前面板と、前記投入口を開閉自在に覆う蓋体と、前記水槽と前記前面板とを連結する略円筒状のパッキング部材とを備え、前記パッキング部材は、前記パネル部材の先端と前記前面板の先端で形成される隙間よりも大きな突起部を有する構成としたことを特徴とした洗濯機である。
【００１０】
これにより、パッキング部材の前面板側の固定部分において、前面板とパネル部材の隙間に抜け止めの突起を設けたことにより、パッキング部材が固定部分より外れることを極力抑えることができる。
【発明の効果】
【００１１】
本発明のドラム式洗濯機は、水槽と衣類取出口とを連結するパッキング部材を確実に固定し、使用者が誤って、蓋体に衣類を挟んでしまったまま運転したとしてもパッキング部材が外れにくいので水漏れ等の被害を防止することができる。
【図面の簡単な説明】
【００１２】
【図１】本発明の実施の形態１におけるドラム式洗濯機の斜視図
【図２】同ドラム式洗濯機の側面断面図
【図３】同ドラム式洗濯機における蓋体下方のパッキング部材周辺の拡大断面図
【発明を実施するための形態】
【００１３】
第１の発明は、洗濯物を収容する回転ドラムと、前記回転ドラムを内包する水槽と、洗濯物の投入口を有するパネル部材と、このパネル部材の一部を覆う前面板と、前記投入口を開閉自在に覆う蓋体と、前記水槽と前記前面板とを連結する略円筒状のパッキング部材とを備え、前記パッキング部材は、前記パネル部材の先端と前記前面板の先端で形成される隙間よりも大きな突起部を有する構成としたので、使用者が誤って洗濯物が蓋体に挟まったまま運転したとしても、パッキング部材が極力外れないようにして、水漏れの被害を起こさないようにしている。
【００１４】
第２の発明は、第１の発明において、前記突起は、略円筒状のパッキング部材の下円部の少なくとも一部に設けたことで、洗濯物が載ってしまいやすいパッキング部材の下部において、使用者が誤って洗濯物が蓋体下部に挟まったまま運転したとしても、パッキング部材が極力外れないようにことができる。
【００１５】
第３の発明は、第２の発明において、前記突起は、略円筒状のパッキング部材の下円部全体に設けたことで、洗濯物が載ってしまいやすいパッキング部材の下円部において、使用者が誤って洗濯物が蓋体下円部のどこかに挟まったまま運転したとしても、パッキング部材が極力外れないようにことができる。
【００１６】
以下、本発明の実施の形態について、図面を参照しながら説明する。また、この実施の形態によって本発明が限定されるものではない。
【００１７】
（実施の形態１）
図１は本発明の実施の形態１におけるドラム式洗濯機の斜視図、図２はドラム式洗濯機の側面断面図である。図１、２において、前面をなだらかな上方後退曲面とした本体１の内部には、周壁に多数の孔２を有するとともに、複数のバッフル３を内周より突出させた回転ドラム４およびこの回転ドラムを内包した水槽５が配置してある。
【００１８】
本実施例のドラム式洗濯機の動作について、以下に説明する。使用者が蓋体９を開け衣類を回転ドラム４内に投入し、図示しない電源ボタンおよびスタートボタンを押すと洗濯が開始される。洗濯動作時には、給水により外槽４下部に洗剤を含む洗濯水をためておき、回転ドラム４を回転させる。回転ドラム４内に収納された衣類などはバッフル３で上方へ持ち上げられ、所定位置でこのバッフル３から解放されて外槽４にためられた水面に落下するもので、いわゆる「たたき洗い」がなされるものである。
【００１９】
洗濯工程が完了すると、水道水を給水し回転ドラム４を回転させて衣類の洗剤成分をすすぐすすぎ工程などを経て脱水工程に入る。この脱水工程において、水槽５の水は排水され、回転ドラム４が高速で回転される。したがって、衣類の水分は遠心力で周囲に飛散され、その後、回転ドラム４の孔２から水槽５に流出し、所定の排水経路から廃棄されるようにしてある。
【００２０】
乾燥機能を併せもついわゆるドラム式洗濯乾燥機では、脱水工程のあと、回転ドラム４を低速回転させつつ温風をその中に供給する。循環方式を採用したものでは、乾燥に供された後の高湿の空気が回転ドラム４の孔２から出て行き、次いで冷却されて除湿がなされる。除湿空気はヒータで加熱されて再び温風となり、再度回転ドラム４の背後よりその内部に還流することとなる。
【００２１】
回転ドラム４の回転軸心は、前方が高位となる傾斜状に設定してあり、そのため、前記回転ドラム４のドラム開口部６が本体１のなだらかな前部曲面上方に解放されるようにしてある。加えて、ドラム４のドラム開口部６は垂直に対して約１０度〜３０度程度傾斜しており、これら要素によって回転ドラム４に対する衣類の出し入れを容易としている。
【００２２】
回転ドラム４のドラム開口部６は本体１のプラスチックなどの樹脂にて成形された曲面状のパネル部材７に設けた衣類投入のための投入口である前方開口部８ａを有する開口部材８に連なっており、またこの開口部材８の前方開口部８ａは蓋体９で開閉されるようにしてある。
【００２３】
本体１は、分割された板金製の左右側板１０、着脱可能な背面板１１、前記左右側板１０を連結する複数の板金製の連結板（図示せず）、合成樹脂からなる天板１２および前記パネル部材７で構成されている。
【００２４】
パネル部材７の内部に位置する板金製で円形の前面板１３には前記回転ドラム４のドラム開口部６と対応して円形の前面板開口部１４が形成してある。回転ドラム４を内包する水槽５の水槽開口部１５についても、衣類投入のための前方開口部８ａを有する円形の開口部材８の内側で、しかも前面板１３の前面板開口部１４と対向する位置にあるもので、これら水槽５の水槽開口部１５と前面板１３の前面板開口部１４との間の間隔はゴムなどの弾性材からつくられた環状筒状のパッキング部材１６で連結密閉されて、同間隔からの本体１内への水の侵入を防止するようになっている。さらに図３に示すように、このパッキング部材１６は、リング状のワイヤ２１によってパッキング部材１６と前面板１３とを一定程度の力で固定している。
【００２５】
また、図３に示すように、前面板１３は、回転ドラム４の回転軸側のほうを蓋体９の外表面側に向かって略鉤型に曲げられており、パッキング部材１６は、略鉤型に曲げられた前面板１３の一部を覆うとともに、パネル部材７の先端と前面板１３の先端との距離よりも断面積が大きな突起部１６ｂを円形のパッキング部材１６の少なくとも下側の一部に設け、さらにパネル部材７に凹部７ａを設けているので、パッキング部材１６が回転ドラム４側に強い力で引っ張られたとしても、パッキング部材１６は、突起部１６ｂがパネル部材７と前面板１３に挟み込まれているので外れない構成となっている。
【００２６】
したがって、洗濯物が円形のパッキング部材１６のうち下側の一部に載ってしまって蓋体９に挟まれたまま仮に運転され、洗濯物がパッキング部材を巻きつけるようにして大きな力で回転ドラム４内にパッキング部材を引っ張ったとしても、パッキング部材が外れないようにすることができる。
【００２７】
なお、パネル部材７の先端と前面板１３の先端との距離よりも断面積が大きな突起部１６ｂを、円形のパッキング部材１６の洗濯物が載ってしまう少なくとも下側の一部に設けているが、突起部１６ｂを、円形のパッキング部材１６の洗濯物が載ってくる可能性が高い中心より下方の下円部すべてに設けるとなおよいし、円形のパッキング部材１６の全周に設けてもよい。
【００２８】
また、閉じた蓋体９の外周が前記パッキング部材１６のリップ部１６ａの内周面に当ってリップ部１６ａが矢印の方向に押圧されてこれら両者間のシールを行なうようにしており、したがって、蓋体９の外周から水とか蒸気が漏れ出ることがないようにもしてある。
【産業上の利用可能性】
【００２９】
以上のように本発明にかかるドラム式洗濯機によれば、簡単な取り付け構成で、パッキング部材を本体に支持された板にしっかり固定できるので、パッキング部材外れによる水漏れを防ぎ漏電等を回避でき、安全なドラム式洗濯機として有用である。
【符号の説明】
【００３０】
１      本体
４      回転ドラム
５      水槽
７      パネル部材
９      蓋体
１３    前面板
１６    パッキング部材
１６ｂ  突起部
【図１】
2012228409.tif 000003
【図２】
2012228409.tif 000004
【図３】
2012228409.tif 000005